(57)【要約】【課題】  記録媒体が有する個体識別可能な固有情報を用いて、外観視略同一な記録媒体も識別可能な情報処理システムを提供する。【解決手段】  情報処理システムは、読込み可能に装着されたメモリカード５に記録されたデータを読込むデータ読込み部１５と、前記データから前記メモリカード５の固有情報を取得する固有情報取得部２０と、前記固有情報に基く情報を前記メモリカード５に印刷する印刷部２５と、前記印刷された情報を含む前記メモリカード５の画像情報を取り込む画像取込み部３０と、前記画像情報と前記データに関する情報とを関連付けて記憶する記憶部３５とを備える。【選択図】      図３
2007094640.tif 000002
【特許請求の範囲】
【請求項１】
個体を識別できる固有情報を有する記録媒体が着脱可能な情報処理システムであって、
読込み可能に装着された前記記録媒体に記録されたデータを読込むデータ読込み部と、
前記データから前記記録媒体の固有情報を取得する固有情報取得部と、
前記固有情報に基く情報を前記記録媒体に印刷する印刷部と、
前記印刷された情報を含む前記記録媒体の画像情報を取り込む画像取込み部と、
前記画像情報と前記データに関する情報とを関連付けて記憶する記憶部とを備えることを特徴とする情報処理システム。
【請求項２】
請求項１に記載の情報処理システムにおいて、
前記記録媒体の画像情報と当該記録媒体に記録された前記データに関する情報とを関連付けて表示する表示部を更に備えることを特徴とする情報処理システム。
【請求項３】
請求項１乃至２のいずれかに記載の情報処理システムにおいて、
前記データに関する情報には、
前記記録媒体に記録されたデータの属性に関する情報を含むことを特徴とする情報処理システム。
【請求項４】
個体を識別できる固有情報を有する記録媒体が着脱可能なドライブ装置であって、
読込み可能に装着された前記記録媒体に記録されたデータを読込むデータ読込み部と、
前記データから前記記録媒体の固有情報を取得する固有情報取得部と、
前記固有情報に基く情報を前記記録媒体に印刷する印刷部と、
前記印刷された情報を含む前記記録媒体の画像情報を取り込む画像取込み部とを備えることを特徴とするドライブ装置。
【請求項５】
請求項４に記載のドライブ装置において、
前記印刷部は、
前記取得された固有情報の少なくとも一部を含み、前記識別が可能な印刷情報を生成する印刷情報生成部を含むことを特徴とするドライブ装置。
【請求項６】
請求項５に記載のドライブ装置において、
前記印刷部は、
前記印刷情報を、バーコードおよび文字列符号の少なくとも一つで印刷することを特徴とするドライブ装置。
【請求項７】
請求項４乃至６のいずれか１項に記載のドライブ装置において、
前記印刷部は、
前記装着された状態の記録媒体に対して印刷することを特徴とするドライブ装置。
【請求項８】
請求項４乃至７のいずれか１項に記載のドライブ装置において、
前記画像取込み部は、
前記装着された状態の記録媒体の画像情報を取込むことを特徴とするドライブ装置。
【発明の詳細な説明】
【技術分野】
【０００１】
本発明は、装着した記録媒体との間でデータを授受する情報処理システムおよびドライブ装置に関する。
【背景技術】
【０００２】
近年、コンピュータや音響映像機器等において、メモリカードや光学ディスクのように各種のデータを記録する記録媒体が様々な状況で用いられている。このような記録媒体は、リムーバブルメディアと呼ばれ、可搬性を有すると共に、コンピュータ間や、コンピュータと音響映像機器間のデータのやり取りを簡単に行うことが出来るため、外観視略同一の記録媒体を複数所有することが多くなっている。
【０００３】
このような外観視略同一の記録媒体を識別する方法として、下記特許文献１に記載されているようなディスク再生装置が提案されている。即ち、使用者は、ディスク再生装置を用いて、それぞれのディスクに記録されたコンテンツ内容から取得した個体の識別情報と、所望する画像やディスクのコンテンツ内容を示す画像との関連付けを行い、ディスク再生装置の表示手段に表示される関連付けられた画像を見ることで、それぞれのディスクを識別した。
【０００４】
【特許文献１】特開２００１−３３２０７３号公報
【発明の開示】
【発明が解決しようとする課題】
【０００５】
しかしながら、上述した装置は、関連付けられた画像に基いてディスクを識別するため、画像が関連付けされていないディスクは、識別できなかった。更に、外観視略同一の画像が関連付けられた場合、これらの画像の中から、使用者が所望するディスクを探すのは困難であった。加えて、ディスク内のデータを検索する場合、ディスクを装置に装着する必要があり、ディスク内のデータの検索に手間がかかった。
【課題を解決するための手段】
【０００６】
上記した課題を解決するために、本発明の情報処理システムは、個体を識別できる固有情報を有する記録媒体が着脱可能な情報処理システムであって、読込み可能に装着された前記記録媒体に記録されたデータを読込むデータ読込み部と、前記データから前記記録媒体の固有情報を取得する固有情報取得部と、前記固有情報に基く情報を前記記録媒体に印刷する印刷部と、前記印刷された情報を含む前記記録媒体の画像情報を取り込む画像取込み部と、前記画像情報と前記データに関する情報とを関連付けて記憶する記憶部とを備えることを特徴とする。
この発明によれば、情報処理システムは、固有情報により個体識別可能な記録媒体の固有情報を取得し、取得した固有情報に基く情報を当該記録媒体に印刷する。従って、使用者は、外観視略同一の記録媒体であっても、印刷された情報を視認することで、それぞれの記録媒体を容易に識別できる。加えて、この情報が印刷された記録媒体の画像と、記録媒体に記録されているデータに関する情報とが関連付けられて記憶されることから、記録媒体を都度装着することなく、記録媒体に記録されたデータに関する情報を取得できるため、記録媒体に記録されたデータを容易に検索できる。
【０００７】
本発明の情報処理システムでは、前記記録媒体の画像情報と当該記録媒体に記録された前記データに関する情報とを関連付けて表示する表示部を更に備えることが好ましい。
この発明によれば、記録媒体の画像と、この記録媒体に記録されたデータに関する情報とが表示部に関連付けて表示されるため、記録媒体に関する情報を視認できる。
【０００８】
本発明の情報処理システムでは、前記データに関する情報には、前記記録媒体に記録されたデータの属性に関する情報を含むことが好ましい。
この発明によれば、記録媒体に記録されたデータの属性に関する情報を容易に参照できる。
【０００９】
上記した課題を解決するために、本発明のドライブ装置は、個体を識別できる固有情報を有する記録媒体が着脱可能なドライブ装置であって、読込み可能に装着された前記記録媒体に記録されたデータを読込むデータ読込み部と、前記データから前記記録媒体の固有情報を取得する固有情報取得部と、前記固有情報に基く情報を前記記録媒体に印刷する印刷部と、前記印刷された情報を含む前記記録媒体の画像情報を取り込む画像取込み部とを備えることが好ましい。
この発明によれば、ドライブ装置は、固有情報により個体識別可能な記録媒体の固有情報を取得し、取得した固有情報に基く情報を当該記録媒体に印刷する。従って、使用者は、外観視略同一の記録媒体であっても、印刷された情報を視認することで、それぞれの記録媒体を容易に識別できる。
【００１０】
本発明のドライブ装置では、前記印刷部は、前記取得された固有情報の少なくとも一部を含み、前記識別が可能な印刷情報を生成する印刷情報生成部を含むことが好ましい。
この発明によれば、取得した固有情報を少なくとも一部含み、個体を識別できる印刷情報を生成できる。
【００１１】
本発明のドライブ装置では、前記印刷部は、前記印刷情報を、バーコードおよび文字列符号の少なくとも一つで印刷しても良い。
【００１２】
本発明のドライブ装置では、前記印刷部は、前記装着された状態の記録媒体に対して印刷することが好ましい。
この発明によれば、記録媒体は、ドライブ装置に装着された状態で印刷されるため、ドライブ装置の内部に、前記印刷するための領域を設けることは不要であることから、ドライブ装置を小型化できる。
【００１３】
本発明のドライブ装置では、前記画像取込み部は、前記装着された状態の記録媒体の画像情報を取込むことが好ましい。
この発明によれば、記録媒体がドライブ装置に装着された状態で、この記録媒体の画像情報が取込まれるため、ドライブ装置の内部に、前記画像を取込む領域を設けることは不要であることから、ドライブ装置を小型化できる。
【発明を実施するための最良の形態】
【００１４】
以下、本発明の実施形態について、記録媒体としてメモリカード５を適用した情報処理システム１を用いて説明する。
（実施形態）
【００１５】
図１は、情報処理システム１の外観を示す図である。この情報処理システム１は、ドライブ装置２とコントロール装置３とを具備する。ドライブ装置２は、装着されたメモリカード５との間でデータを授受する。また、コントロール装置３は、メモリカード５との間で授受するデータを管理することに加え、それぞれの機能部を制御する。本実施形態では、このコントロール装置３は、コンピュータを適用しており、コンピュータ本体４３と、ディスプレイ６６と、キーボード７２とを有する。また、ドライブ装置２の一方の側の側面には、メモリカード５を装着する装着口を有する。更に、ドライブ装置２の他方の側の側面には、図示を略すが、ＵＳＢ（Universal Serial Bus）の端子を備える。このＵＳＢ端子と、コンピュータ本体４３が具備するＵＳＢ端子との間は、接続ケーブル８で接続される。尚、この接続は、接続ケーブル８による有線接続に限定されるものではなく、電波や光などを用いた無線により接続しても良い。
【００１６】
画面９０は、ドライブ装置２に装着されたメモリカード５の情報が、ディスプレイ６６に表示された画面である。コントロール装置３には、接続された記憶デバイスの情報を表示する所定のソフトウェアがインストールされており、このソフトウェアが起動されることで、画面９０に示す情報が表示される。本実施形態では、コントロール装置３には、ＨＤＤ５４とメモリカード５とが接続されているため、この画面９０には、ＨＤＤ（Hard Disk Drive）５４を示す一方のアイコン９６と、メモリカード５を示す他方のアイコン９４が表示されている。この中で、メモリカード５を示す他方のアイコン９４は、メモリカード５を撮像して作成されている。従って、メモリカード５に印刷され、個体を識別可能な文字列符号のイメージ８２とバーコードのイメージ８４とを他方のアイコン９４上に視認できる。尚、個体を識別可能な文字列符号のイメージ８２とバーコードのイメージ８４に関しての詳細は、後述する。
【００１７】
図２は、情報処理システム１のハードウェア構成を示す図である。また、図５（ａ）〜（ｃ）は、情報処理システム１に装着可能なメモリカード５の外観を説明する図であり、以降、これらの図も参照して説明する。
【００１８】
コントロール装置３は、ＣＰＵ（Central Processing Unit）５０と、ＲＡＭ（Random Access Memory）５２と、記憶装置であるＨＤＤ５４と、グラフィックカード５６と、ＲＯＭ（Read Only Memory）５８と、入出力Ｉ／Ｆ（Interface）６２とを備え、これらのハードウェアは、バス６４により各信号が授受可能に接続されている。尚、これらのハードウェアは、基本ソフトウェアであるＢＩＯＳ（Basic Input Output System）やＷｉｎｄｏｗｓ（登録商標）のようなオペレーティングシステム（ＯＳ）により管理され、これらの管理下で、ＲＯＭ５８やＨＤＤ５４に記憶されたドライバを含む種々のソフトウェアにより、所定の機能が実行される。
【００１９】
ＣＰＵ５０は、基本ソフトウェア、接続された周辺機器のデバイスドライバなどの各種プログラム、および各種のデータをＲＯＭ５８やＨＤＤ５４から読み込み、これらをＲＡＭ５２内に設けられるメインメモリ領域に展開して実行する。グラフィックカード５６は、ＣＰＵ５０の指示に従い、画像をディスプレイ６６に表示する。
【００２０】
入出力Ｉ／Ｆ６２には、キーボード７２、およびドライブ装置２を構成するスキャナ６８、プリンタ７０、メモリカードドライブ６０、およびその他の図示を略した周辺機器が、ＵＳＢ規格やＩＥＥＥ１３９４規格等の所定の規格に従い接続されている。
【００２１】
この中で、メモリカードドライブ６０は、メモリカード５を着脱可能に接続してデータを授受する。このようなメモリカード５は、ＩＤ（Identification）番号のような個体を識別できる固有情報をデータとして内部に有しており、具体的には、ＳＤメモリーカード（登録商標）や、ＩＤ機能を具備した一部のスマートメディア（登録商標）等を採用できる。
【００２２】
ここで、図５（ａ）は、情報処理システム１に装着可能なメモリカード５Ａの外観を示す。このメモリカード５Ａの一方の平面には、ラベル８０Ａが添付され、このメモリカード５Ａの記録可能な容量や、製造メーカの識別マーク等が予め印刷されている。但し、固有情報を含めて識別可能な情報は、通常印刷されないため、同じ種類のメモリカード５Ａを外観で区別することは困難である。尚、図示は略すが、スキャナ６８およびプリンタ７０は、メモリカード５Ａが装着された際、このメモリカード５Ａのラベル８０Ａ側の面に対向する位置に配置されている。従って、装着された状態のメモリカード５Ａのラベル８０Ａを有する面に対して、印刷および画像の取込みが可能である。
【００２３】
図３は、情報処理システム１の機能構成を示す機能ブロック図である。この中で、ドライブ装置２は、メモリカード接続部１０と、データ読込み部１５と、データ書込み部１８と、固有情報取得部２０と、印刷部２５と、画像取込み部３０とを備える。また、コントロール装置３は、記憶部３５と、表示部４０と、制御部４５と、指示入力部４８とを備える。
【００２４】
最初に、ドライブ装置２の各機能について説明する。メモリカード接続部１０は、メモリカード５を装着することで、メモリカード５と電気的に接続する。この結果、メモリカード５との間でデータの授受が可能になる。尚、このメモリカード接続部１０は、図示を略すが、メモリカード５の着脱機構と一体化されている。従って、使用者は、メモリカード５をメモリカード接続部１０に挿入して、このメモリカード５の端部を押すことにより、メモリカード５は装着されて接続状態になる。また、使用者は、装着されたメモリカード５の端部を再度押すことにより、メモリカード５の排出動作が開始される。即ち、メモリカード５との接続状態は解除され、メモリカード接続部１０が有するバネ構造により、メモリカード５は外部に排出される。
【００２５】
データ読込み部１５は、メモリカード５に記録されている種々のデータを読込む。読込まれたデータは、記憶部３５に送られる。尚、これらのデータは、ファイル単位で扱われる。
【００２６】
データ書込み部１８は、記憶部３５に記憶されているデータをメモリカード５に書込む。尚、本実施形態では、ドライブ装置２は、メモリカード５に記録されたデータに対して、読み書き可能であるが、メモリカード５に記録されたデータを専ら読込むメモリカードリーダのような様態であっても良い。
【００２７】
固有情報取得部２０は、データ読込み部１５が読込んだデータの中から、固有情報を取得する。この固有情報とは、具体的には、メモリカード５の固有のＩＤ番号やシリアル番号、製品番号等の識別子を示す。取得した固有情報は、印刷部２５に送られる。
【００２８】
印刷部２５は、印刷情報生成部２８を有する。この印刷情報生成部２８は、固有情報取得部２０から送られた固有情報を少なくとも一部含み、メモリカード５の個体が識別可能な印刷情報を生成する。生成された印刷情報には、メモリカード５の前記識別子を基に生成した文字列符号が含まれる。この文字列符号の作成を受けて、印刷部２５は、図５（ｂ）に示すように、作成された文字列符号のイメージ８２と、この文字列符号を基に適切な方式で変換されたバーコードのイメージ８４とを、メモリカード５Ｂに貼付されたラベル８０Ｂの所定の領域にプリンタ７０で印刷する。尚、このようなプリンタ７０は、インクを吐出して印刷するインクジェット方式が好適であるが、この方式に限定されず、ラベル８０に印刷できるようなプリンタ７０ならば、どのような印字方式でも適用できる。
【００２９】
画像取込み部３０は、印刷部２５で印刷されたイメージを含むメモリカード５の画像データを、スキャナ６８で撮像して取込む。例えば、図５（ｃ）に示すメモリカード画像９２は、図５（ｂ）で示したメモリカード５Ｂが取込まれたイメージ画像である。このように取込まれた画像情報は、記憶部３５に送られる。尚、画像情報を取込む手段は、スキャナ６８に限定されず、ＣＣＤ（Charge Coupled Device）カメラやＣＭＯＳカメラ（Complementary Metal-Oxide Semiconductor）のようなエリアセンサも適用できる。
【００３０】
また、画像取込み部３０から取込んだ画像と、メモリカード５が有する画像とを合成しても良い。例えば、メモリカード５が具備するメモリカード５全体の画像に、画像取込み部３０から取込んだ印刷イメージの画像を合成することで、画像情報を生成できる。この場合、メモリカード５のようなブロック型デバイスでは、予め設定されたアドレスを指定することで、メモリカード５から画像ファイルのデータを取得する方法を採用できる。
【００３１】
次に、コントロール装置３の各機能について説明する。記憶部３５は、データ読込み部１５から送られたメモリカード５に記録されている種々のデータと、画像取込み部３０から送られたメモリカード５の画像データとを関連付けると共に、これらを所定のデータベースに記憶する。ここで、メモリカード５に記録されている種々のデータとは、メモリカード５に記録されているデータファイルのファイル名、収納されているフォルダ名、ファイルのサイズおよびファイルへの最終アクセス日時等に関する情報である。また、メモリカード５の画像データは、ビットマップ形式の画像ファイルや、ＪＰＥＧ（Joint Photographic Experts Group）形式およびＧＩＦ（Graphics Interchange Format）形式等で圧縮された画像ファイルのデータである。これらのデータは、具体的にはＨＤＤ５４に記憶され、必要に応じて読み出される。データベースに記憶されたデータの利用については、後述する。また、記憶部３５は、この記憶部３５に記憶されている前記種々のデータが、一定期間に渡り参照されなかった場合や、この記憶部３５が所定の記憶容量を越えた場合は、時間的に古い情報から順次削除する機能も有する。
【００３２】
表示部４０は、記憶部３５に記憶された種々のデータに基く情報を、所定のソフトウェアの指示に従い表示する。これらの情報は、ディスプレイ６６に表示される。
【００３３】
指示入力部４８は、情報処理システム１に対して、指示が入力される。具体的には、使用者は、キーボード７２や図示を略したマウスを介して、ディスプレイ６６に表示されるＧＵＩ（Graphical User Interface）に対して指示を入力する。
【００３４】
制御部４５は、情報処理システム１の各機能部の動作を制御する。
【００３５】
以上、情報処理システム１の各機能部を説明したが、これらの機能は、前記したハードウェア資源と、ソフトウェアとが有機的に協働することで実現される。
【００３６】
尚、記録媒体としてメモリカード５を想定し、ドライブ装置２は、メモリカード５に記録された情報を授受するドライブを想定しているが、記録媒体は、着脱可能なリムーバブルメディアであれば、メモリカード５に限定されず、例えば、光学式ディスクも採用できる。即ち、図示は略すが、記録媒体には、ＣＤ−ＲやＤＶＤ−Ｒのような、個体を識別できる固有情報を有する光学式ディスクを採用すると共に、ドライブ装置２は、光学式ディスクを回転させ、ヘッドを介して記録された情報を授受するディスクドライブを採用できる。尚、このようなディスクドライブは、光学式ディスクがセットされた後、ヘッドが読書き可能な位置まで光学式ディスクを移送するが、移送する所定の位置で、前記文字列符号のイメージ８２や、バーコードのイメージ８４は、光学式ディスクのラベル面に印刷される。
【００３７】
また、本実施形態では、情報処理システム１を、それぞれ独立したドライブ装置２とコントロール装置３とで構成する様態を採用しているが、このような様態に限定されず、これらの装置の構成および機能を一体化した様態でも良い。
【００３８】
次に、図４は、上記した構成の情報処理システム１に装着されたメモリカード５に対する処理の流れを示す図であり、この図に従い、情報処理システム１の処理の流れを説明する。
【００３９】
最初に、情報処理システム１が起動されると、情報処理システム１は、メモリカード５が装着されるのを待つ状態になり、使用者がメモリカード５をドライブ装置２に挿入し、メモリカード接続部１０と接続状態になるのを受けて処理が開始される（ステップＳ１００）。
【００４０】
次に、固有情報取得部２０は、データ読込み部１５が読込んだメモリカード５のデータの中から、個体を識別できる固有情報を取得する（ステップＳ１０５）。
【００４１】
次に、取得された固有情報は、記憶部３５のデータベースに記憶されている固有情報と照合される（ステップＳ１１０）。具体的には、取得された固有情報の識別子と同一の固有情報をデータベースから検索する。
【００４２】
前記照合された結果に基き、この情報処理システム１に初めて装着されたメモリカード５か、否かを判定される（ステップＳ１１５）。
【００４３】
ここで、この情報処理システム１に初めて装着されたメモリカード５であると判定された場合（ステップＳ１１５でＹｅｓ）、記憶部３５のデータベースにメモリカード５の記憶領域が確保される（ステップＳ１２０）。
【００４４】
次いで、メモリカード５に記録されたデータは、使用者が指示入力部４８を介して入力する指示に従い、記憶部３５との間で授受される（ステップＳ１２５）。かかる状態は、情報処理システム１に対して、使用者によりメモリカード５の排出動作が開始されるまで継続される。
【００４５】
使用者によりメモリカード５の排出動作が開始されると、印刷部２５は、排出するメモリカード５上に、このメモリカード５の固有情報を含み、個体を識別可能なイメージを印刷する（ステップＳ１３０）。
【００４６】
続いて、画像取込み部３０は、印刷されたイメージを含むメモリカード５を撮像する（ステップＳ１３５）。
【００４７】
次に、画像取込み部３０で撮像されたメモリカード５の画像情報と、データ読込み部１５で読込まれるメモリカード５に記録されているファイルの属性に関する情報は、記憶部３５のデータベースに登録される（ステップＳ１４０）。
【００４８】
前記情報がデータベースに登録されるのを受けて、メモリカード５とメモリカード接続部１０との接続状態は解除された後、メモリカード５は、情報処理システム１の外部に排出され（ステップＳ１５０）、一連の処理は終了する。
【００４９】
また、この情報処理システム１に初めて装着されたメモリカード５か、否かを判定される工程（ステップＳ１１５）において、この情報処理システム１に初めて装着されたメモリカード５でないと判定された場合（ステップＳ１１５でＮｏ）、メモリカード５に記録されたデータは、使用者が指示入力部４８を介して入力する指示に従い、記憶部３５との間で授受される（ステップＳ１４５）。かかる状態は、情報処理システム１に対して、使用者によりメモリカード５の排出動作が開始されるまで継続され、メモリカード５の排出動作の開始を受けて、メモリカード５は、情報処理システム１の外部に排出され（ステップＳ１５０）、一連の処理は終了する。
【００５０】
次に、図６は、記憶部３５のデータベースに記憶された種々のデータの利用例を示す。この例では、記憶部３５に記憶された種々のデータは、入力された名前のファイルを、接続された記憶デバイスから検索するソフトウェアの結果表示に利用される。即ち、使用者は、検索したいファイル名を入力して、ソフトウェアに実行させることで、ソフトウェアは、この検索結果画像１６０をディスプレイ６６に表示する。この例では、検索するファイル名は、「ＩＭＧ００１．ＪＰＧ」であり、検索対象は、内蔵ハードディスクドライブに加えて、記憶部３５のデータベースを参照することで、過去に装着されたものを含むリムーバブルメディアも検索対象となる。
このソフトウェアは、内蔵ハードディスクドライブとリムーバブルメディアに対して検索を行い、検索結果は、内蔵ハードディスクドライブの検索結果画像１６２と、リムーバブルメディアの検索結果画像１６４に分類されて表示される。この中で、リムーバブルメディアの検索結果画像１６４には、メモリカード５に記録された一方のファイル情報１６６と、ＣＤ−Ｒに記録された他方のファイル情報１６８とが表示される。即ち、このソフトウェアは、記憶部３５のデータベースにアクセスして、ファイル名の情報を検索する。ここで、検索するファイル名と同一のファイル名の情報が検索できた場合、このソフトウェアは、検索したファイル情報と、この情報に関連付けられた画像データとを読み出す。更に、このソフトウェアは、読み出した画像データが示す画像を、「メディア画像」の欄に表示すると共に、ファイル情報が示す種々のデータを、それぞれ所定の欄に表示する。
【００５１】
以上述べた実施形態によれば、以下のような効果を奏する。
（１）現在装着されているリムーバブルメディアに限らず、以前に装着されたことがあるリムーバブルメディアについても、記録されたファイル情報を参照できるため、所望するファイルを広範囲に検索できる。更に、リムーバブルメディアを撮像した画像データを参照できるため、複数のリムーバブルメディアの中から、所望するリムーバブルメディアを容易に探すことができる。
【００５２】
以上、本発明を図示した実施形態に基づいて説明したが、本発明は、本実施形態に限定されるものではなく、以下に述べるような変形例も想定できる。
（１）メモリカード５の個体を識別するイメージを印刷し、印刷したメモリカード５を撮像して、撮像した情報をデータベースに登録する工程は、メモリカード５の排出時に限らず、メモリカード５を情報処理システム１に装着した後であって良い。
【図面の簡単な説明】
【００５３】
【図１】本発明の実施形態に係る情報処理システムの外観を示す図。
【図２】本発明の実施形態に係る情報処理システムのハードウェア構成を示す図。
【図３】本発明の実施形態に係る情報処理システムの機能構成を示す機能ブロック図。
【図４】本発明の実施形態に係る情報処理システムに装着されたメモリカードに対する処理の流れを示す図。
【図５】（ａ）は、情報処理システムに装着可能なメモリカードの外観を示し、（ｂ）は、固有情報が印刷されたメモリカードの外観を示し、（ｃ）は、固有情報が印刷されたメモリカードの画像を示す図。
【図６】記憶部のデータベースに記憶された種々のデータの利用例を示す図。
【符号の説明】
【００５４】
１…情報処理システム、２…ドライブ装置、３…コントロール装置、５…メモリカード、８…接続ケーブル、１０…メモリカード接続部、１５…データ読込み部、１８…データ書込み部、２０…固有情報取得部、２５…印刷部、２８…印刷情報生成部、３０…画像取込み部、３５…記憶部、４０…表示部、４３…コンピュータ本体、４５…制御部、４８…指示入力部、５０…ＣＰＵ、５２…ＲＡＭ、５４…ＨＤＤ、５６…グラフィックカード、５８…ＲＯＭ、６０…メモリカードドライブ、６２…入出力Ｉ／Ｆ、６４…バス、６６…ディスプレイ、６８…スキャナ、７０…プリンタ、７２…キーボード、８０…ラベル、８２…文字列符号のイメージ、８４…バーコードのイメージ、９０…画面、９２…メモリカード画像、９４，９６…アイコン、１６０…検索結果画像、１６２…内蔵ハードディスクドライブの検索結果画像、１６４…リムーバブルメディアの検索結果画像、１６６，１６８…ファイル情報。
【図２】
2007094640.tif 000003
【図３】
2007094640.tif 000004
【図４】
2007094640.tif 000005
【図５】
2007094640.tif 000006
【図１】
2007094640.tif 000007
【図６】
2007094640.tif 000008